(57)【特許請求の範囲】
【請求項１】
眼鏡のフレーム状に形成された保持部材を備え、商品に付けられたコード情報を目視可能とする光透過性の部材が前記保持部材に保持され、かつ前記光透過性部材の一部分にモニタ表示可能とするモニタ表示部を形成したヘッドマウントディスプレイと、
少なくとも商品に付けられたコード情報を撮像する撮像装置と、
前記撮像装置の撮像により取得された動画の画像データを前記ヘッドマウントディスプレイの前記モニタ表示部にリアルタイムで表示し、かつ前記動画の画像データ中から１枚の画像データをチャプタし、このチャプタ画像データ中の前記コード情報を基に商品コードを取得すると、前記チャプタ画像データ中の前記コード情報を囲む枠データを付加する画像処理部と、
前記画像処理部により取得された前記商品コードに基づいて前記商品の情報を取得する商品情報取得部と、
少なくとも前記商品情報取得部により取得された前記商品の情報を前記ヘッドマウントディスプレイの前記モニタ表示部に表示する情報表示部と、
を具備することを特徴とする商品処理装置。
【請求項２】
前記画像処理部は、前記コード情報を前記２値化データに変換して読み込んだ時点で、前記枠データを付加することを特徴とする請求項１記載の商品処理装置。
【請求項３】
前記商品情報取得部は、前記画像処理部により取得された前記商品コードに基づいて前記商品の情報として少なくとも商品名、単価を取得することを特徴とする請求項１記載の商品処理装置。
【請求項４】
前記情報表示部は、前記商品情報取得部により取得された少なくとも前記商品名、前記単価と、前記商品コードとを前記画像データに合成して前記モニタ表示部に表示することを特徴とする請求項３記載の商品処理装置。
【請求項５】
前記商品情報取得部により取得された少なくとも前記商品名、前記単価と、前記画像処理部により取得された前記商品コードとに基づいて登録処理、精算処理を行う登録・精算部を有することを特徴とする請求項３記載の商品処理装置。
【請求項６】
商品に付されたコード情報を撮像して取得された画像データを画像処理して前記コード情報に含まれる前記商品コードを解読するＰＯＳ端末と、前記ＰＯＳ端末との間でデータ伝送可能で、前記ＰＯＳ端末により解読された前記商品コードに基づいて前記商品の少なくとも商品名、単価を取得するＰＯＳサーバとから成るＰＯＳシステムにおいて、
前記ＰＯＳ端末は、眼鏡のフレーム状に形成された保持部材を備え、商品に付けられたコード情報を目視可能とする光透過性の部材が前記保持部材に保持され、かつ前記光透過性部材の一部分にモニタ表示可能とするモニタ表示部を形成したヘッドマウントディスプレイと、
少なくとも前記商品に付けられた前記コード情報を撮像する撮像装置と、
前記撮像装置の撮像により取得された動画の画像データを前記ヘッドマウントディスプレイの前記モニタ表示部にリアルタイムで表示し、かつ前記動画の画像データ中から１枚の画像データをチャプタし、このチャプタ画像データ中の前記コード情報を基に前記商品コードを取得すると、前記チャプタ画像データ中の前記コード情報を囲む枠データを付加する画像処理部と、
前記商品の少なくとも商品名、単価、前記商品コードを前記ヘッドマウントディスプレイの前記モニタ表示部に表示する情報表示部と、
を有し、
前記ＰＯＳサーバは、前記画像処理部により取得された前記商品コードを受け、前記商品コードに基づいて前記商品の少なくとも前記商品名、前記単価を取得し、前記商品の少なくとも前記商品名、前記単価を前記情報表示部に返送する商品情報取得部を有する、
ことを特徴とするＰＯＳシステム。
【請求項７】
前記画像処理部は、前記コード情報を前記２値化データに変換して読み込んだ時点で、前記枠データを付加することを特徴とする請求項６記載のＰＯＳシステム。
【請求項８】
前記情報表示部は、前記商品情報取得部により取得された少なくとも前記商品名、前記単価と、前記商品コードとを前記画像データに合成して前記モニタ表示部に表示することを特徴とする請求項６記載のＰＯＳシステム。
【発明の詳細な説明】
【技術分野】
【０００１】
本発明は、例えば商品に付けられたコード情報として例えばバーコード等を読み取って商品販売の登録処理等を行う商品処理装置及びＰＯＳシステムの改良に関する。
【背景技術】
【０００２】
ＰＯＳシステムは、電子キャッシュレジスタから成るＰＯＳ端末と、このＰＯＳ端末と例えばネットワークを介して接続されたＰＯＳサーバとから成る。このうちＰＯＳ端末は、例えばスーパマーケットやコンビニエンスストア、百貨店等の小売店に設けられ、現金やクレジットカードを用いて商取引を行うもので、商品に付けられたバーコードを読み取って商品販売の登録・精算処理等を行う商品処理装置を備える。この商品処理装置は、商品に付けられたバーコードを読み取るためのバーコードスキャナを備える。このバーコードスキャナは、購入者が購入するための商品を入れる買物かごを載置するためのサッカー台に固定されている。
【０００３】
小売店のオペレータは、例えば買物かご中の商品を手に取り、この商品に付けられたバーコードをバーコードスキャナに向け、このバーコードスキャナによって商品に付けられたバーコードを読み取らせる。商品処理装置は、バーコードスキャナによって読み取られたバーコードを解読して商品コードを取得し、この商品コードに基づいて商品の商品名、単価等を取得する。そして、商品処理装置は、少なくとも１つの商品の商品名、単価等を取得して登録処理が終了すると、精算処理を行って商品の買上げの合計金額等を求める。
【０００４】
なお、特許文献１は、１台以上のビデオカメラとめがね様のビデオモニタ・ユニットとを含み、これらビデオカメラとビデオモニタ・ユニットとは、ビデオ信号送信線によって接続され、かつビデオカメラは、多くの角度から使用者に焦点を合わせられるように使用者から離れて配置又は置き換えが可能であり、ビデオモニタ・ユニットは、使用者が目に着用することでビデオカメラによって撮像された生の運動をリアルタイムで観察することができることを開示する。
【特許文献１】特開２００１−１９０７２６
【発明の開示】
【発明が解決しようとする課題】
【０００５】
しかしながら、上記商品処理装置では、オペレータの手作業によって商品に付けられたバーコードをバーコードスキャナに向けてバーコードを読み取らせているので、オペレータは、商品に付けられているバーコードをバーコードスキャナに向けるために商品に付けられているバーコードを探して当該バーコードの位置を確認し、この後に商品に付けられているバーコードをバーコードスキャナに向けている。このため、オペレータは、商品を持ち替えたりしてバーコードをバーコードスキャナに向けなければならず、又商品を持ち替えてバーコードをバーコードスキャナに向けても、バーコードがバーコードスキャナの読取範囲内に巧く入らないことが起こる。
【０００６】
本発明の目的は、商品に付けられているコード情報を探して当該コード情報の位置を確認する必要がなく、コード情報読み取りの操作性を向上できる商品処理装置及びＰＯＳシステムを提供することにある。
【課題を解決するための手段】
【０００７】
本発明の主要な局面に係る商品処理装置は、眼鏡のフレーム状に形成された保持部材を備え、商品に付けられたコード情報を目視可能とする光透過性の部材が保持部材に保持され、かつ光透過性部材の一部分にモニタ表示可能とするモニタ表示部を形成したヘッドマウントディスプレイと、少なくとも商品に付けられたコード情報を撮像する撮像装置と、撮像装置の撮像により取得された動画の画像データをヘッドマウントディスプレイのモニタ表示部にリアルタイムで表示し、かつ動画の画像データ中から１枚の画像データをチャプタし、このチャプタ画像データ中のコード情報を基に商品コードを取得すると、チャプタ画像データ中のコード情報を囲む枠データを付加する画像処理部と、画像処理部により取得された商品コードに基づいて商品の情報を取得する商品情報取得部と、少なくとも商品情報取得部により取得された商品の情報をヘッドマウントディスプレイのモニタ表示部に表示する情報表示部とを具備する。
【０００８】
本発明の主要な局面に係るＰＯＳシステムは、商品に付されたコード情報を撮像して取得された画像データを画像処理してコード情報に含まれる商品コードを解読するＰＯＳ端末と、ＰＯＳ端末との間でデータ伝送可能で、ＰＯＳ端末により解読された商品コードに基づいて商品の少なくとも商品名、単価を取得するＰＯＳサーバとから成るＰＯＳシステムにおいて、ＰＯＳ端末は、眼鏡のフレーム状に形成された保持部材を備え、商品に付けられたコード情報を目視可能とする光透過性の部材が保持部材に保持され、かつ光透過性部材の一部分にモニタ表示可能とするモニタ表示部を形成したヘッドマウントディスプレイと、少なくとも商品に付けられたコード情報を撮像する撮像装置と、撮像装置の撮像により取得された動画の画像データをヘッドマウントディスプレイのモニタ表示部にリアルタイムで表示し、かつ動画の画像データ中から１枚の画像データをチャプタし、このチャプタ画像データ中のコード情報を基に商品コードを取得すると、チャプタ画像データ中のコード情報を囲む枠データを付加する画像処理部と、商品の少なくとも商品名、単価、商品コードをヘッドマウントディスプレイのモニタ表示部に表示する情報表示部とを有し、ＰＯＳサーバは、画像処理部により取得された商品コードを受け、商品コードに基づいて商品の少なくとも商品名、単価を取得し、商品の少なくとも商品名、単価を情報表示部に返送する商品情報取得部を有する。
【発明の効果】
【０００９】
本発明によれば、商品に付けられているコード情報を探して当該コード情報の位置を確認する必要がなく、コード情報読み取りの操作性を向上できる商品処理装置及びＰＯＳシステムを提供できる。
【発明を実施するための最良の形態】
【００１０】
以下、本発明の第１の実施の形態について図面を参照して説明する。  
図１はＰＯＳシステムの構成図を示す。このＰＯＳシステムは、ＰＯＳ端末１と、ＰＯＳサーバ２とから成る。ＰＯＳ端末１は、例えばスーパマーケットやコンビニエンスストア、百貨店等の小売店に設けられ、現金やクレジットカードを用いて商取引を行うもので、例えば精算カウンタ等に設けられる。このＰＯＳ端末１は、商品３に付されたコード情報としての例えばバーコード４を撮像して取得された画像データを画像処理することによりバーコード４に含まれる商品コードを解読（デコード）する。
【００１１】
具体的に例えば小売店の精算カウンタには、サッカー台５が設けられている。このサッカー台５上には、買い物かご６が載置される。この買い物かご６内には、消費者が購入するための商品３が収納される。又、サッカー台５には、消費者に対して商品３の買上げ金額等を表示するための客面表示器７が設けられている。  
ＰＯＳ端末１は、ヘッドマウントディスプレイ（ＨＭＤ）１０と、撮像装置としてのビデオカメラ１１と、インタフェース（Ｉ／Ｆ）ボックス１２とから成る。ヘッドマウントディスプレイ１０は、眼鏡のフレーム状に形成された保持部材として図２に示すようにフレーム本体１３と、このフレーム本体１３の左右両側にそれぞれ設けられた各装着用アーム１４ａ、１４ｂとを備える。このヘッドマウントディスプレイ１０は、各装着用アーム１４ａ、１４ｂによって例えば商品３の登録・精算業務を行うキャッシャー１５の頭部１５ａに装着可能である。
【００１２】
フレーム本体１３は、キャッシャー１５の両眼を覆う大きさの枠状に形成されている。このフレーム本体１３の枠内には、例えば当該フレーム枠の形状に合わせて形成された板状の光透過性の部材１６が保持されている。この光透過性部材１６は、ヘッドマウントディスプレイ１０をキャッシャー１５の頭部１５ａに装着した場合、キャッシャー１５の眼によって例えば商品３やこの商品３に付けられたバーコード４、精算カウンタの周辺環境を透過して観察可能である。この光透過性部材１６は、例えば無色透明又は予め決められた色を有していてもよい。なお、図２は商品３及びバーコード４を透過した観察可能な状態を示す。
【００１３】
光透過性部材１６内の一部分には、モニタ表示部１７が形成されている。このモニタ表示部１７は、ビデオカメラ１１の撮像により取得される動画の画像データ等をリアルタイムにモニタ表示する。このモニタ表示部１７は、例えばヘッドマウントディスプレイ１０における左側に形成されている。すなわち、モニタ表示部１７は、ヘッドマウントディスプレイ１０をキャッシャー１５の頭部１５ａに装着したときのキャッシャー１５の例えば左眼に対応する部分に形成されている。なお、モニタ表示部１７は、キャッシャー１５の右眼に対応する部分に形成してもよいし、キャッシャー１５の両眼に対応する各部分に形成してもよい。このモニタ表示部１７は、光透過性の状態で、ビデオカメラ１１の撮像により取得された画像データをモニタ表示する。しかるに、モニタ表示部１７は、動画の画像データ等をリアルタイムにモニタ表示している状態でも、当該モニタ表示部１７を透過して商品３の周辺環境を観察可能である。
【００１４】
ビデオカメラ１１は、撮像動作を行って動画の画像データを出力する。このビデオカメラ１１は、フレーム本体１３の上部中央に撮像方向可変機構１８を介して設けられている。このビデオカメラ１１は、キャッシャー１５により光透過性部材１６を通して少なくとも商品３及びバーコード４を目視する方向に焦点が合うように撮像範囲を設定した状態でヘッドマウントディスプレイ１０のフレーム本体１３上に取り付けられている。撮像方向可変機構１８は、例えばビデオカメラ１１を首振り可能に支持し、ビデオカメラ１１の撮像方向を任意の方向、ここでは上記の如くビデオカメラ１１の撮像範囲をキャッシャー１５により光透過性部材１６を通して少なくとも商品３及びバーコード４を目視する方向に焦点が合うように設定する。
【００１５】
インタフェースボックス１２は、商品３に付けられたバーコード４を読み取って商品販売の登録・精算処理等を行うもので、例えばキャッシャー１５によって携帯可能である。このインタフェースボックス１２は、ＣＰＵ、ＲＡＭ、ＲＯＭ等から成るコンピュータを搭載する。ＲＯＭには、予め商品処理プログラムが格納されている。この商品処理プログラムは、ビデオカメラ１１の撮像により取得された画像データをヘッドマウントディスプレイ１０のモニタ表示部１７にリアルタイムに表示させると共に、ビデオカメラ１１の撮像により取得された画像データを画像処理してバーコード４に含まれる商品３のコードを解読させ、かつＰＯＳサーバ２から送られてくる商品３の商品名、単価や上記商品コードをモニタ表示部１７に表示させる。このインタフェースボックス１２は、ＲＯＭに予め格納されている商品処理プログラムを実行することにより画像処理部１９と、情報表示部２０と、送受信部２１とを有する。
【００１６】
画像処理部１９は、通常、ビデオカメラ１１の撮像により取得された動画の画像データをリアルタイムでヘッドマウントディスプレイ１０のモニタ表示部１７に表示する。画像処理部１９は、例えばビデオカメラ１１の撮像により取得された動画の画像データ中からからバーコード３にフォーカスされたときの１枚の画像データすなわち動画の画像データ中から１枚のフレームをチャプタし、このチャプタ画像データ中のバーコード３を識別し、この識別された画像データを２値化して商品コードを取得する。  
又、画像処理部１９は、図２に示すように動画の画像データ中からチャプタした１枚のフレームのチャプタ画像データをヘッドマウントディスプレイ１０のモニタ表示部１７に表示し、かつチャプタ画像データを取得した時点又は２値化データを取得した時点で、例えばチャプタ画像データに対してバーコード４を囲む枠線データ２１を付加する。この枠線データ２１は、例えば四角形等に形成され、例えば赤色、黄色等の色を付けることが可能である。
【００１７】
情報表示部２０は、ＰＯＳサーバ２から送られてくる商品３の商品名、単価、商品コードを受け取ると、これら商品３の商品名、単価、商品コードの各データを例えばチャプタ画像データに合成してヘッドマウントディスプレイ１０のモニタ表示部１７に表示する。例えば図２は商品３の商品名Ａとして「菓子」、単価Ｂとして「１８０円」、商品コードＣとして「４９１２３４５６」が表示されている。
【００１８】
送受信部２０は、ＰＯＳサーバ２との間でデータ伝送を行うもので、画像処理部１９により取得された商品コードを受け取り、この商品コードをＰＯＳサーバ２に送信する。この送受信部２０は、ＰＯＳサーバ２に対して無線、又はネットワークを介して商品コードを送信する。  
登録・精算部２２は、ＰＯＳサーバ２から送られてくる商品３の商品名、単価、商品コードに基づいて例えば購入者が購入しようとする少なくとも１個の商品３の商品名、単価、商品コードを登録すると、これら商品３の精算処理を行って複数の商品３の買上げの合計金額等を求める。
【００１９】
一方、ＰＯＳサーバ２には、ネットワーク２３を介して送受信部２４や他のＰＯＳ端末２５が接続されている。このＰＯＳ端末２５は、例えば電子キャッシュレジスタである。このＰＯＳサーバ２には、複数の商品３の商品コードに対する商品名、単価の情報が予め登録されている。このＰＯＳサーバ２は、商品情報取得部２６を有する。この商品情報取得部２６は、インタフェースボックス１２から送信された商品３の商品コードを受け取り、この商品コードに対応する商品名、単価等を検索し、これら検索された商品名、単価等を商品コードと共にインタフェースボックス１２に返送する。送受信部２４は、インタフェースボックス１２から送信された商品３の商品コードを受信し、かつＰＯＳサーバ２により検索された商品名、単価等や商品コードをインタフェースボックス１２に送信する。
【００２０】
次に、上記の如く構成されたＰＯＳシステムにおける登録処理について説明する。  
ヘッドマウントディスプレイ１０は、各装着用アーム１４ａ、１４ｂによって例えば商品３の登録・精算業務を行うキャッシャー１５の頭部１５ａに装着される。キャッシャー１５は、ヘッドマウントディスプレイ１０に設けられている光透過性部材１６を通して例えばスーパマーケットやコンビニエンスストア、百貨店等の小売店の精算カウンタの周辺環境を観察可能である。  
購入者が購入しようとする商品３の収納された買物かご６がサッカー台５上に載置されると、小売店のキャッシャー１５は、ヘッドマウントディスプレイ１０の光透過性部材１６を通して買物かご６中の商品３を手に取り、この商品３に付けられたバーコード４を光透過性部材１６に通して目視する方向に向ける。このとき、ビデオカメラ１１は、キャッシャー１５により手に取られた商品３及びこの商品３に付けられたバーコード４をキャッシャー１５自身で目視する方向に焦点が合うように撮像範囲が設定されているので、ビデオカメラ１１は、商品３及びこの商品３に付けられたバーコード４を含む周囲を撮像してその動画の画像データを出力する。画像処理部１９は、ビデオカメラ１１から出力される動画の画像データを入力し、この動画の画像データをリアルタイムでヘッドマウントディスプレイ１０のモニタ表示部１７に表示する。
【００２１】
このモニタ表示部１７に商品３及びバーコード４を含む周囲環境の動画の画像データが表示されていてもモニタ表示部１７が光透過性であるので、キャッシャー１５は、両眼でモニタ表示部１７及び光透過性部材１６を通して商品３及びバーコード４を含む精算カウンタの周囲環境を観察可能である。
【００２２】
次に、画像処理部１９は、例えばビデオカメラ１１の撮像により取得された動画の画像データ中からからバーコード３にフォーカスされたときの１枚の画像データすなわち動画の画像データ中から１枚のフレームをチャプタし、このチャプタ画像データ中のバーコード３を識別し、この識別された画像データを２値化して商品コードを取得する。  
次に、画像処理部１９は、図２に示すように動画の画像データ中からチャプタした１枚のフレームのチャプタ画像データをヘッドマウントディスプレイ１０のモニタ表示部１７に表示し、かつチャプタ画像データを取得した時点又は２値化データを取得した時点で、例えばチャプタ画像データに対してバーコード４を囲む例えば四角形等に形成された枠線データ２１を付加する。
【００２３】
なお、画像処理部１９は、動画の画像データ中から１枚のフレームをチャプタし、このチャプタ画像データ中のバーコード３を識別し、この識別された画像データを２値化して商品コードを取得するに限らず、動画の画像データ中からバーコード３を識別し、この識別された画像データを２値化して商品コードを取得してもよい。
【００２４】
このとき、キャッシャー１５は、モニタ表示部１７に表示されているバーコード４に枠線データ２１が付加されたことを視覚で認識するので、バーコード３から商品３の商品コードが取得されたことを認識できる。
【００２５】
次に、送受信部２０は、画像処理部１９により取得された商品３の商品コードを受け取り、この商品コードをＰＯＳサーバ２に対して無線又はネットワークを介して送信する。  
ＰＯＳサーバ２側の送受信部２４は、無線又はネットワークを介してインタフェースボックス１２から送信された商品３の商品コードを受信し、この商品コードをＰＯＳサーバ２に送る。  
このＰＯＳサーバ２の商品情報取得部２６は、インタフェースボックス１２から送信された商品３の商品コードを受け取り、この商品コードに対応する商品名、単価等を検索する。そして、商品情報取得部２６は、これら検索された商品名、単価等を商品コードと共に送受信部２４を介してインタフェースボックス１２に返送する。  
ＰＯＳ端末１側の送受信部２１は、無線又はネットワークを介してＰＯＳサーバ２から送信された商品３の商品コード、商品名、単価等を受信し、これら商品コード、商品名、単価等を情報表示部２０に渡す。
【００２６】
この情報表示部２０は、ＰＯＳサーバ２から送られてきた商品３の商品名、単価、商品コードを受け取ると、これら商品３の商品名、単価、商品コードの各データを例えばチャプタ画像データに合成してヘッドマウントディスプレイ１０のモニタ表示部１７に表示する。このモニタ表示部１７には、図２に示すように例えば商品３の商品名Ａとして「菓子」、単価Ｂとして「１８０円」、商品コードＣとして「４９１２３４５６」が表示される。  
キャッシャー１５は、モニタ表示部１７に表示された商品３の商品名Ａである「菓子」、単価Ｂである「１８０円」、商品コードＣである「４９１２３４５６」を見ることにより商品３が登録されたことを確認できる。
【００２７】
なお、情報表示部２０は、ＰＯＳサーバ２から送られてきた商品３の商品名、単価、商品コードを受け取ると、これら商品３の商品名、単価、商品コードの各データを例えばビデオカメラ１１からリアルタイムに送られてくる動画の画像データに合成し、この合成した画像データをヘッドマウントディスプレイ１０のモニタ表示部１７に表示してもよい。
【００２８】
続いて、キャッシャー１５は、ヘッドマウントディスプレイ１０の光透過性部材１６を通して買物かご６中から次の商品３を手に取り、この商品３に付けられたバーコード４を光透過性部材１６に通して目視する方向に向ける。そして、上記同様に、画像処理部１９は、例えばビデオカメラ１１の撮像により取得された動画の画像データ中からバーコード３にフォーカスされたときの１枚のフレームをチャプタし、このチャプタ画像データ中のバーコード３を識別し、この識別された画像データを２値化して商品コードを取得する。次に、画像処理部１９は、チャプタ画像データを取得した時点又は２値化データを取得した時点で、例えばチャプタ画像データに対してバーコード４を囲む例えば四角形等に形成された枠線データ２１を付加する。
【００２９】
次に、送受信部２０は、画像処理部１９により取得された商品３の商品コードを受け取り、この商品コードをＰＯＳサーバ２に対して無線又はネットワークを介して送信する。このＰＯＳサーバ２の商品情報取得部２６は、インタフェースボックス１２から送信された商品３の商品コードを受け取り、この商品コードに対応する商品名、単価等を検索する。そして、商品情報取得部２６は、これら検索された商品名、単価等を商品コードと共に送受信部２４を介してインタフェースボックス１２に返送する。  
次に、ＰＯＳ端末１側の情報表示部２０は、ＰＯＳサーバ２から送られてきた商品３の商品名、単価、商品コードを受け取ると、これら商品３の商品名、単価、商品コードの各データを例えばチャプタ画像データに合成してヘッドマウントディスプレイ１０のモニタ表示部１７に表示する。これにより、次の商品３の商品名Ａ、単価Ｂ、商品コードＣが登録される。  
これ以降、上記同様に、複数の商品３の商品名Ａ、単価Ｂ、商品コードＣが登録される。
【００３０】
次に、登録・精算部２２は、ＰＯＳサーバ２から送られてきた少なくとも１個以上の商品３の商品名Ａ、単価Ｂ、商品コードＣに基づいて例えば購入者が購入しようとする各商品３の商品名Ａ、単価Ｂ、商品コードＣを登録すると、これら商品３の精算処理を行って複数の商品３の買上げの合計金額等を求める。
【００３１】
このように上記第１の実施の形態によれば、キャッシャー１５の頭部１５ａに装着可能なヘッドマウントディスプレイ１０に光透過性部材１６を設けて商品３及びバーコード４を含む小売店の精算カウンタの周辺環境を観察可能とし、かつ光透過性部材１６の一部分に光透過性のモニタ表示部１７を形成し、このモニタ表示部１７にビデオカメラ１１により撮像された商品３及びこの商品３に付けられたバーコード４を含む周囲環境の動画の画像データをリアルタイムで表示し、かつ商品３及びこの商品３に付けられたバーコード４を含むチャプタ画像データを表示すると共に、ＰＯＳサーバ２から送られてきた商品３の商品名Ａ、単価Ｂ、商品コードＣを表示するので、キャッシャー１５は、商品３の登録を行うとき、ヘッドマウントディスプレイ１０の光透過性部材１６を通して買物かご６中の商品３を手に取り、この商品３に付けられたバーコード４を光透過性部材１６に通して目視する方向に向けるだけでよい。これにより、商品３に付けられているバーコード４を探す作業とバーコード４を読み取る動作とが同時に行えるようになり、商品３の登録業務に要する時間を短縮でき、登録業務をスムーズに行うことができる。
【００３２】
しかるに、キャッシャー１５は、従来のように商品３に付けられているバーコード４をサッカー台に固定されたバーコードスキャナに向けるために商品３に付けられているバーコード４を探し、そして、このバーコード４の位置を確認し、この後に商品３に付けられているバーコード４をバーコードスキャナに向けるような作業を行う必要がなくなる。従来におけるサッカー台に固定されたバーコードスキャナが不要になり、買物かご６を移動するスペースができるなどのバーコードスキャナの設置されていたスペースを有効使用することができる。
【００３３】
バーコード３を含む例えばチャプタ画像データ中からバーコード３を識別し、この識別された画像データを２値化して商品コードを取得したときに、このチャプタ画像データに対してバーコード４を囲む例えば四角形等に形成された枠線データ２１を付加するので、キャッシャー１５は、モニタ表示部１７に表示されるバーコード４に枠線データ２１が付加されたことを目視することにより、バーコード３から商品３の商品コードが取得されことを認識でき、さらに当該商品３の商品名Ａ、単価Ｂ、商品コードＣが表示されることにより商品３が登録されたことを確認できる。なお、チャプタ画像データに枠線データ２１を付加するので、ＰＯＳサーバ２から送信された商品３の商品名Ａ、単価Ｂ、商品コードＣを受け取った時点に行ってもよい。
【００３４】
ヘッドマウントディスプレイ１０における光透過性部材１６及びモニタ表示部１７は、共に光透過性であるので、キャッシャー１５は、ヘッドマウントディスプレイ１０を頭部に装着していても、ヘッドマウントディスプレイ１０を頭部に装着しないときの視野と略同一の視野で商品３の登録・精算業務を行うことができる。
【００３５】
ビデオカメラ１１は、撮像方向可変機構１８によって首振り可能に支持し、ビデオカメラ１１の撮像方向を任意の方向に設定できるので、ビデオカメラ１１の撮像範囲をキャッシャー１５により光透過性部材１６を通して少なくとも商品３及びバーコード４を目視する方向に焦点が合うように調整するのが容易である。例えば、キャッシャー１５の身長に合わせて商品３及びバーコード４を目視する方向にビデオカメラ１１の焦点が合うように調整できる。
【００３６】
次に、本発明の第２の実施の形態について図面を参照して説明する。なお、図１と同一部分には同一符号を付してその詳しい説明は省略する。  
図３は電子キャッシュレジスタに適用される商品処理装置の構成図を示す。インタフェースボックス１２は、画像処理部１９と、情報表示部２０と、登録・精算部２２と、商品情報取得部２６とを有する。この電子キャッシュレジスタは、ＰＯＳシステムに接続されず、単独で商品３の登録・精算業務等を行う。
【００３７】
キャッシャー１５は、上記同様に、ヘッドマウントディスプレイ１０の光透過性部材１６を通して買物かご６中から次の商品３を手に取り、この商品３に付けられたバーコード４を光透過性部材１６に通して目視する方向に向けると、画像処理部１９は、例えばビデオカメラ１１の撮像により取得された動画の画像データ中からバーコード３にフォーカスされたときの１枚のフレームをチャプタし、このチャプタ画像データ中のバーコード３を識別し、この識別された画像データを２値化して商品コードを取得する。次に、画像処理部１９は、チャプタ画像データを取得した時点又は２値化データを取得した時点で、例えばチャプタ画像データに対してバーコード４を囲む例えば四角形等に形成された枠線データ２１を付加する。
【００３８】
次に、商品情報取得部２６は、画像処理部１９から商品コードを受け取り、この商品コードに対応する商品名、単価等を検索する。  
次に、情報表示部２０は、商品情報取得部２６により検索された商品３の商品名、単価、商品コードを受け取り、これら商品３の商品名、単価、商品コードの各データを例えばチャプタ画像データに合成してヘッドマウントディスプレイ１０のモニタ表示部１７に表示する。これにより、次の商品３の商品名Ａ、単価Ｂ、商品コードＣが登録される。  
これ以降、上記同様に、複数の商品３の商品名Ａ、単価Ｂ、商品コードＣが登録される。
【００３９】
次に、登録・精算部２２は、商品情報取得部２６により検索された少なくとも１個以上の商品３の商品名Ａ、単価Ｂ、商品コードＣに基づいて例えば購入者が購入しようとする各商品３の商品名Ａ、単価Ｂ、商品コードＣを登録すると、これら商品３の精算処理を行って複数の商品３の買上げの合計金額等を求める。
【００４０】
このように上記第２の実施の形態によれば、単独で商品３の登録・精算業務等を行う電子キャッシュレジスタにおいて、キャッシャー１５の頭部１５ａに装着可能なヘッドマウントディスプレイ１０に光透過性部材１６を設けて商品３及びバーコード４を含む小売店の精算カウンタの周辺環境を観察可能とし、かつ光透過性部材１６の一部分に光透過性のモニタ表示部１７を形成し、このモニタ表示部１７にビデオカメラ１１により撮像された商品３及びこの商品３に付けられたバーコード４を含む周囲環境の動画の画像データをリアルタイムで表示し、かつ商品３及びこの商品３に付けられたバーコード４を含むチャプタ画像データを表示すると共に、ＰＯＳサーバ２から送られてきた商品３の商品名Ａ、単価Ｂ、商品コードＣを表示するので、単独で商品３の登録・精算業務等を行う電子キャッシュレジスタでも上記第１の実施の形態と同様の効果を奏することは言うまでもない。又、送受信部２１を予めインタフェースボックス１２に備えておけば、機能の変更なしに、上記第１の実施の形態と同様に、ＰＯＳシステムを構築できる。
【００４１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、コード情報としては、バーコード４に限らず、ＱＲコード等の２次元コードであってもよい。
【図面の簡単な説明】
【００４２】
【図１】本発明に係る第１の実施の形態であるＰＯＳシステムを示す構成図。
【図２】同装置におけるヘッドマウントディスプレイの具体的な構成図。
【図３】本発明に係る第２の実施の形態である電子キャッシュレジスタに適用される商品処理装置を示す構成図。
【符号の説明】
【００４３】
１：ＰＯＳ端末、２：ＰＯＳサーバ、３：商品、４：バーコード、５：サッカー台、６：買い物かご、７：客面表示器、１０：ヘッドマウントディスプレイ、１１：ビデオカメラ、１２：インタフェース（Ｉ／Ｆ）ボックス、１３：フレーム本体、１４ａ，１４ｂ：装着用アーム、１５：キャッシャー、１５ａ：オペレータの頭部、１６：光透過性部材、１７：モニタ表示部、１８：撮像方向可変機構、１９：画像処理部、２０：情報表示部、２１：送受信部、２２：登録・精算部、２３：ネットワーク、２４：送受信部、２５：ＰＯＳ端末、２６：商品情報取得部。
【図１】
0004922894.tif 000002
【図２】
0004922894.tif 000003
【図３】
0004922894.tif 000004